(57)【要約】【課題】  残留強度変調成分が低減された信号光を出力することができる光送信器を提供する。【解決手段】  光送信器１０Ａは、光源１０１、光位相変調部１０２、光強度変調部１０３、プリディストーション部１０４、オフセット部１０５、パイロット信号発生部１０６、光カプラ１０７、受光部１０８、ＲＦ信号発生部１０９およびバンドパスフィルタ１１０を備える。ＲＦ信号発生部１０９は、互いに位相反転関係にある第１ＲＦ信号および第２ＲＦ信号を出力する。光源１０１または光位相変調部１０２は、第１ＲＦ信号（ＳＢＳ抑圧信号）に基づいて光を位相変調して、光スペクトル線幅を拡大する。光源１０１は、第２ＲＦ信号（ＲＡＭ補償信号）に基づいて光を強度変調して、光位相変調部１０２で生じる残留強度変調成分を補償する。【選択図】  図２
2010161646.tif 000002
【特許請求の範囲】
【請求項１】
光を出力する光源と、
前記光源から出力された光を位相変調して出力する光位相変調部と、
前記光位相変調部から出力された光を伝送信号で強度変調して出力する光強度変調部と、
第１ＲＦ信号および第２ＲＦ信号を出力するＲＦ信号発生部と
を備え、
前記光位相変調部が、前記ＲＦ信号発生部から出力された第１ＲＦ信号に基づいて、前記光源から前記位相変調器に入力した光を位相変調して、光スペクトル線幅を拡大し、
前記光源または前記光強度変調部が、前記ＲＦ信号発生部から出力された第２ＲＦ信号に基づいて光を強度変調して、前記光位相変調部で生じる残留強度変調成分を補償する
ことを特徴とする光送信器。
【請求項２】
光を出力する光源と、
前記光源から出力された光を位相変調して出力する光位相変調部と、
前記光位相変調部から出力された光を伝送信号で強度変調して出力する第１光強度変調部と、
前記第１光強度変調部に入力される光または前記第１光強度変調部から出力された光を強度変調して出力する第２光強度変調部と、
第１ＲＦ信号および第２ＲＦ信号を出力するＲＦ信号発生部と
を備え、
前記光位相変調部が、前記ＲＦ信号発生部から出力された第１ＲＦ信号に基づいて、前記光源から前記位相変調器に入力した光を位相変調して、光スペクトル線幅を拡大し、
前記第２光強度変調部が、前記ＲＦ信号発生部から出力された第２ＲＦ信号に基づいて光を強度変調して、前記光位相変調部で生じる残留強度変調成分を補償する
ことを特徴とする光送信器。
【請求項３】
前記ＲＦ信号発生部は、前記第２ＲＦ信号の強度および位相のうち少なくとも１つを調整することを特徴とする請求項１または２に記載の光送信器。
【請求項４】
前記第２ＲＦ信号は、前記光位相変調部から出力される光に含まれるスプリアス（歪み成分）を補正する成分を含むことを特徴とする請求項１または２に記載の光送信器。
【請求項５】
前記光位相変調部から出力された光の一部を分岐する光カプラと、
この光カプラにより分岐した光を受光し、その受光量に応じた電気信号を出力する受光部とを備え、
前記ＲＦ信号発生部が、前記受光部から出力される電気信号に含まれる歪み成分が最小となるように、前記第２ＲＦ信号の強度、位相および歪みの何れかを調整する
ことを特徴とする請求項１または２に記載の光送信器。
【請求項６】
前記第１ＲＦ信号に対する前記第１ＲＦ信号に含まれるスプリアスとの比が６５ｄＢ以上であることを特徴とする請求項１または２に記載の光送信器。
【請求項７】
前記ＲＦ信号発生部は、ＲＦ信号を発生するＲＦ信号発生源を含み、このＲＦ信号発生源から出力されたＲＦ信号を２分岐して、その２分岐した各ＲＦ信号を互いに位相反転関係となるようにして前記第１ＲＦ信号および前記第２ＲＦ信号として出力することを特徴とする請求項１または２に記載の光送信器。
【請求項８】
信号光を出力する請求項１〜７の何れか１項に記載の光送信器を備え、この光送信器から出力された信号光を伝送して光通信を行うことを特徴とする光通信システム。
【発明の詳細な説明】
【技術分野】
【０００１】
本発明は、信号光を伝送して光通信を行う光通信システム、および、信号光を送出する光送信器に関するものである。
【背景技術】
【０００２】
光通信システムは、信号光を送出する光送信器と、この光送信器から送出された信号光を伝送する光ファイバ伝送路と、この光ファイバ伝送路により伝送されて到達した信号光を受信する光受信器と、を備える。また、光送信器のなかでも外部変調型のものは、連続光を出力する光源と、この光源から出力された光を位相変調して出力する光位相変調部と、この光位相変調部から出力された光を伝送信号で強度変調して出力する光強度変調部と、を備える。光位相変調部は、誘導ブリルアン散乱（ＳＢＳ）閾値を改善するために、光スペクトル線幅を広げるものである。
【先行技術文献】
【非特許文献】
【０００３】
【非特許文献１】A. Yariv, et al., IEEE Journal of LT,Vol.15, No.3, pp.437-443 (1997)
【非特許文献２】F. W. Willems, et al., IEEE Photon.Technol. Lett., Vol.6, No.12, pp.1476-1478 (1994)
【発明の概要】
【発明が解決しようとする課題】
【０００４】
光位相変調部が理想的なものであれば、その光位相変調部は光の位相のみを変調することができる。しかし、実際には光位相変調部から出力された光は残留強度変調（ＲＡＭ）成分を含む。このような残留強度変調成分を含む信号光を、反射点が存在する光伝送路により伝送させると、その信号光に含まれる残留強度変調成分と伝送信号に因る強度変調成分との間でビートが生じる可能性がある。そして、このようなビートは伝送特性（特にアナログ映像伝送特性）における歪みの原因となる。
【０００５】
本発明は、上記問題点を解消する為になされたものであり、残留強度変調成分が低減された信号光を出力することができる光送信器を提供することを目的とする。また、このような光送信器を含み優れた伝送特性で信号光を伝送することができる光通信システムを提供することを目的とする。
【課題を解決するための手段】
【０００６】
本発明に係る光送信器は、(1) 光を出力する光源と、(2) 光源から出力された光を位相変調して出力する光位相変調部と、(3) 光位相変調部から出力された光を伝送信号で強度変調して出力する光強度変調部と、(4)第１ＲＦ信号および第２ＲＦ信号を出力するＲＦ信号発生部とを備えることを特徴とする。さらに、本発明に係る光送信器は、前記光位相変調部が、前記ＲＦ信号発生部から出力された第１ＲＦ信号に基づいて、光源から位相変調器に入力した光を位相変調して、光スペクトル線幅を拡大し、光源または光強度変調部が、ＲＦ信号発生部から出力された第２ＲＦ信号に基づいて光を強度変調して、光位相変調部で生じる残留強度変調成分を補償することを特徴とする。
【０００７】
この光送信器では、光源から出力された光は、光位相変調部により位相変調され、光強度変調部により伝送信号で強度変調されて、信号光として出力される。ＲＦ信号発生部から互いに位相反転関係にある第１ＲＦ信号および第２ＲＦ信号が出力される。ＲＦ信号発生部から出力された第１ＲＦ信号は光源または光位相変調部に供給されて、光スペクトル線幅が拡大される。また、ＲＦ信号発生部から出力された第２ＲＦ信号は光源または光強度変調部に供給されて、光位相変調部で生じる残留強度変調成分が補償される。
【０００８】
或いは、本発明に係る光送信器は、(1) 光を出力する光源と、(2) 光源から出力された光を位相変調して出力する光位相変調部と、(3) 第１光強度変調部に入力される光または第１光強度変調部から出力された光を強度変調して出力する第１光強度変調部と、(4)第１光強度変調部に入力される光または第１光強度変調部から出力された光を強度変調して出力する第２光強度変調部と、(5) 第１ＲＦ信号および第２ＲＦ信号を出力するＲＦ信号発生部とを備えることを特徴とする。さらに、本発明に係る光送信器は、光位相変調部が、ＲＦ信号発生部から出力された第１ＲＦ信号に基づいて、光源から位相変調器に入力した光を位相変調して、光スペクトル線幅を拡大し、第２光強度変調部が、ＲＦ信号発生部から出力された第２ＲＦ信号に基づいて光を強度変調して、光位相変調部で生じる残留強度変調成分を補償することを特徴とする。
【０００９】
この光送信器では、光源から出力された光は、光位相変調部により位相変調され、第１光強度変調部により伝送信号で強度変調され、第２光強度変調部により第２ＲＦ信号で強度変調されて、信号光として出力される。ＲＦ信号発生部から互いに位相反転関係にある第１ＲＦ信号および第２ＲＦ信号が出力される。ＲＦ信号発生部から出力された第１ＲＦ信号は光源または光位相変調部に供給されて、光スペクトル線幅が拡大される。また、ＲＦ信号発生部から出力された第２ＲＦ信号は第２光強度変調部に供給されて、光位相変調部で生じる残留強度変調成分が補償される。
【００１０】
本発明に係る光送信器では、ＲＦ信号発生部は、第２ＲＦ信号の強度および位相のうち少なくとも１つを調整するのが好適である。
【００１１】
本発明に係る光送信器では、第２ＲＦ信号は、光位相変調部から出力される光に含まれるスプリアス（歪み成分）を補正する成分を含むのが好適である。
【００１２】
本発明に係る光送信器は、光位相変調部から出力された光の一部を分岐する光カプラと、この光カプラにより分岐した光を受光し、その受光量に応じた電気信号を出力する受光部とを備え、ＲＦ信号発生部が、受光部から出力される電気信号に含まれる歪み成分が最小となるように、第２ＲＦ信号の強度、位相および歪みの何れかを調整するのが好適である。
【００１３】
本発明に係る光送信器では、第１ＲＦ信号に対する第１ＲＦ信号に含まれるスプリアスとの比が６５ｄＢ以上であるのが好適である。
【００１４】
本発明に係る光送信器では、ＲＦ信号発生部は、ＲＦ信号を発生するＲＦ信号発生源を含み、このＲＦ信号発生源から出力されたＲＦ信号を２分岐して、その２分岐した各ＲＦ信号を互いに位相反転関係となるようにして第１ＲＦ信号および第２ＲＦ信号として出力するのが好適である。
【００１５】
本発明に係る光通信システムは、信号光を出力する上記の本発明に係る光送信器を備え、この光送信器から出力された信号光を伝送して光通信を行うことを特徴とする。
【発明の効果】
【００１６】
本発明によれば、残留強度変調成分が低減された信号光を出力することができ、優れた伝送特性で信号光を伝送することができる。
【図面の簡単な説明】
【００１７】
【図１】本実施形態に係る光通信システム１の概略構成図である。
【図２】第１実施形態に係る光送信器１０Ａの構成図である。
【図３】ＲＦ信号発生部１０９の第１構成例を示す図である。
【図４】ＲＦ信号発生部１０９の第２構成例を示す図である。
【図５】ＲＦ信号発生部１０９の第３構成例を示す図である。
【図６】ＲＦ信号発生部１０９の第４構成例を示す図である。
【図７】第１実施形態に係る光送信器１０Ａの各所における光の強度変調および周波数スペクトルを示す図である。
【図８】第２実施形態に係る光送信器１０Ｂの構成図である。
【図９】第３実施形態に係る光送信器１０Ｃの構成図である。
【図１０】第３実施形態に係る光送信器１０Ｄの構成図である。
【発明を実施するための形態】
【００１８】
以下、添付図面を参照して、本発明を実施するための形態を詳細に説明する。なお、図面の説明において同一の要素には同一の符号を付し、重複する説明を省略する。
【００１９】
先ず、本発明に係る光通信システムの実施形態について説明する。図１は、本実施形態に係る光通信システム１の概略構成図である。この図に示される光通信システム１は、光送信器１０，光受信器２０および光ファイバ伝送路３０を備える。この光通信システム１では、光送信器１０から送出された信号光は、光ファイバ伝送路３０により伝送されて光受信器２０に到達し、この光受信器２０により受信される。光送信器１０は、本発明に係るものである。以下では、本発明に係る光送信器の実施形態について説明する。
【００２０】
次に、本発明に係る光送信器の第１実施形態について説明する。図２は、第１実施形態に係る光送信器１０Ａの構成図である。この図に示される光送信器１０Ａは、図１中の光送信器１０として用いられるものであって、光源１０１、光位相変調部１０２、光強度変調部１０３、プリディストーション部１０４、オフセット部１０５、パイロット信号発生部１０６、光カプラ１０７、受光部１０８、ＲＦ信号発生部１０９およびバンドパスフィルタ１１０を備える。
【００２１】
光源１０１は、連続光を出力するものであり、一般にレーザダイオードが用いられ、好適には分布帰還型レーザ（ＤＦＢレーザ），外部共振型レーザ（ＥＣＬ）およびファブリペロー型レーザ（ＦＰレーザ）などが用いられる。光位相変調部１０２は、光源１０１から出力された光を位相変調して出力するものであり、好適にはリチウムナイオベート（ＬＮ）導波路が用いられる。光強度変調部１０３は、光位相変調部１０２から出力された光を伝送信号で強度変調して出力するものであり、好適には位相制御型や分布結合型などのＬＮ導波路が用いられる。この光強度変調部１０３から出力された光は、信号光として光ファイバ伝送路３０へ送出される。
【００２２】
この光強度変調部１０３は、印加電圧と光透過率との間に一定の関係を有するものであり、電圧が印加されることで光透過率が制御されて、これにより光を強度変調することができる。しかし、光強度変調部１０３は、一般に、印加電圧と光透過率との間の関係に歪みを有する。そこで、これを補償するためにプリディストーション部１０４およびオフセット部１０５が設けられている。すなわち、光強度変調部１０３における印加電圧と光透過率との間の関係に含まれる歪みを補償するように、プリディストーション部１０４は伝送信号に歪みを与え、オフセット部１０５は伝送信号にオフセットを与える。
【００２３】
また、オフセット部１０５が伝送信号に与えるオフセットを決定するために、パイロット信号発生部１０６，光カプラ１０７および受光部１０８が設けられている。すなわち、パイロット信号発生部１０６は、モニタ用のパイロット信号を光源１０１に供給して光源１０１を駆動し、かつオフセット部１０５へも入射される。光カプラ１０７は、そのパイロット信号により駆動された光源１０１から出力され光位相変調部１０２および光強度変調部１０３を経た光の一部を分岐する。受光部１０８は、その光カプラ１０７により分岐された光を受光して、当該受光量に応じた電気信号を出力する。そして、オフセット部１０５は、光カプラ１０７から出力された電気信号を入力し、その電気信号からパイロット信号を取り出して、フィードバック制御によりオフセットを最適化する。
【００２４】
ＲＦ信号発生部１０９は、ＲＦ信号（ＳＢＳ抑圧信号）を光源１０１または光位相変調部１０２に供給して、光スペクトル線幅を拡大させる。ＲＦ信号は、抑圧したいＳＢＳ閾値に応じて、ＲＦ信号強度を変化させることが可能である。
【００２５】
ところで、光位相変調部１０２が理想的なものであれば、その光位相変調部１０２は光の位相のみを変調することができる。しかし、実際には、光位相変調部１０２から出力された光は残留強度変調（ＲＡＭ）成分を含む。この残留強度変調成分は、光位相変調部の内部および表面での光散乱によるエタロン効果、光位相変調部において使用される圧電素子（例えばＬＮ）の圧電応答、圧電素子内部での変調強度の不均一性、ならびに、圧電素子用結晶の光路長や複屈折性、等により生じる。
【００２６】
このように光位相変調部１０２から出力された光が残留強度変調成分を含む場合には、光位相変調部１０２から出力された光を受光部により光電変換して、この受光部から出力された電気信号をＲＦスペクトラムアナライザで観測すると、その残留強度変調成分の存在を確認することができる。
【００２７】
このような残留強度変調成分を含む信号光を、反射点が存在する光伝送路により伝送させると、その信号光に含まれる残留強度変調成分と伝送信号に因る強度変調成分との間でビートが生じる可能性がある。干渉性の高いビートは、光スペクトル線幅の逆数に依存する光のコヒーレンス長に依存して干渉強度が観測されうることとなる。このビートの周波数は、伝送信号に因る強度変調成分の周波数の近辺に存在する。したがって、このようなビートは伝送特性（特にアナログ映像伝送特性）における歪みの原因となるため、ビートを低減させることが必要である。
【００２８】
ＲＦ信号発生部１０９から光源１０１または光位相変調部１０２に供給されるＲＦ信号（ＳＢＳ抑圧信号）のスプリアス成分を低減させることでも、ビートを低減することは可能である。この場合、スプリアス成分とＲＦ信号とのＤＵＲは６５ｄＢ以上であることが望ましい。ただし、この場合は、伝送信号に因る強度変調成分と同じ周波数を有するビートを取り除くことは困難である。
【００２９】
そこで、この第１実施形態に係る光送信器１０ＡにおけるＲＦ信号発生部１０９は、互いに位相反転関係にある第１ＲＦ信号および第２ＲＦ信号を出力する。そして、光源１０１または光位相変調部１０２は、第１ＲＦ信号（ＳＢＳ抑圧信号）に基づいて光を位相変調して、光スペクトル線幅を拡大し、光源１０１は、第２ＲＦ信号（ＲＡＭ補償信号）に基づいて光を強度変調して、光位相変調部１０２で生じる残留強度変調成分を補償する。
【００３０】
好適には、ＲＦ信号発生部１０９は、第２ＲＦ信号の強度および位相のうち少なくとも１つを調整する。ＲＦ信号発生部１０９は、光位相変調部１０２から出力される光に含まれる歪み成分を補正する成分を第２ＲＦ信号に含ませる。バンドパスフィルタ１１０は、受光部１０８から出力された電気信号を入力して、その電気信号に含まれる歪み成分を選択的に透過してＲＦ信号発生部１０９へ出力する。また、ＲＦ信号発生部１０９は、この歪み成分が最小となるように、第２ＲＦ信号の強度，位相および歪みの何れかを調整する。
【００３１】
図３は、ＲＦ信号発生部１０９の第１構成例を示す図である。この図に示されるＲＦ信号発生部１０９は、ＲＦ発生源１２１、位相反転部１２３、可変移相部１２４、可変減衰部１２５および制御部１２６を備える。光位相変調部１０２に供給される第１ＲＦ信号（ＳＢＳ抑圧信号）は、ＲＦ発生源１２１から出力される。また、光源１０１に供給される第２ＲＦ信号（ＲＡＭ補償信号）は、ＲＦ発生源１２１から出力され、位相反転部１２３により位相が反転され、可変移相部１２４により位相が調整され、可変減衰部１２５により強度が調整される。位相反転部１２３、可変移相部１２４および可変減衰部１２５それぞれは、バンドパスフィルタ１１０から出力された歪み成分が最小となるように制御部１２６により制御される。
【００３２】
図４は、ＲＦ信号発生部１０９の第２構成例を示す図である。この図に示されるＲＦ信号発生部１０９は、ＲＦ発生源１２１、位相反転部１２３、可変移相部１２４、可変減衰部１２５および制御部１２６を備える。光位相変調部１０２に供給される第１ＲＦ信号（ＳＢＳ抑圧信号）は、ＲＦ発生源１２１から出力され、位相反転部１２３により位相が反転され、可変移相部１２４により位相が調整される。また、光源１０１に供給される第２ＲＦ信号（ＲＡＭ補償信号）は、ＲＦ発生源１２１から出力され、可変減衰部１２５により強度が調整される。位相反転部１２３、可変移相部１２４および可変減衰部１２５それぞれは、バンドパスフィルタ１１０から出力された歪み成分が最小となるように制御部１２６により制御される。
【００３３】
図５は、ＲＦ信号発生部１０９の第３構成例を示す図である。この図に示されるＲＦ信号発生部１０９は、ＲＦ発生源１２１、ＲＦ発生源１２２、位相反転部１２３、可変移相部１２４、可変減衰部１２５および制御部１２６を備える。ＲＦ発生源１２１およびＲＦ発生源１２２は、互いに同一の周波数のＲＦ信号を出力する。光位相変調部１０２に供給される第１ＲＦ信号（ＳＢＳ抑圧信号）は、ＲＦ発生源１２１から出力される。また、光源１０１に供給される第２ＲＦ信号（ＲＡＭ補償信号）は、ＲＦ発生源１２２から出力され、位相反転部１２３により位相が反転され、可変移相部１２４により位相が調整され、可変減衰部１２５により強度が調整される。位相反転部１２３、可変移相部１２４および可変減衰部１２５それぞれは、バンドパスフィルタ１１０から出力された歪み成分が最小となるように制御部１２６により制御される。
【００３４】
図６は、ＲＦ信号発生部１０９の第４構成例を示す図である。この図に示されるＲＦ信号発生部１０９は、ＲＦ発生源１２１、ＲＦ発生源１２２、位相反転部１２３、可変移相部１２４、可変減衰部１２５および制御部１２６を備える。ＲＦ発生源１２１およびＲＦ発生源１２２は、互いに同一の周波数のＲＦ信号を出力する。光位相変調部１０２に供給される第１ＲＦ信号（ＳＢＳ抑圧信号）は、ＲＦ発生源１２１から出力され、位相反転部１２３により位相が反転され、可変移相部１２４により位相が調整される。また、光源１０１に供給される第２ＲＦ信号（ＲＡＭ補償信号）は、ＲＦ発生源１２２から出力され、可変減衰部１２５により強度が調整される。位相反転部１２３、可変移相部１２４および可変減衰部１２５それぞれは、バンドパスフィルタ１１０から出力された歪み成分が最小となるように制御部１２６により制御される。
【００３５】
図７は、第１実施形態に係る光送信器１０Ａの各所における光の強度変調および周波数スペクトルを示す図である。この図には、第２ＲＦ信号（ＲＡＭ補償信号）が供給された光源１０１から出力される光の強度変調および周波数スペクトル、第１ＲＦ信号（ＳＢＳ抑圧信号）が供給された光位相変調部１０２から出力される光の強度変調および周波数スペクトル、ならびに、光強度変調部１０３から出力される光の周波数スペクトルが示されている。この図に示されるように、光位相変調部１０２で生じる残留強度変調成分が、第２ＲＦ信号に基づく光源１０１における光の強度変調と相殺されて、光強度変調部１０３から出力される光に含まれる残留強度変調成分が低減され得る。また、このような光送信器１０Ａを含む光通信システム１は、優れた伝送特性で信号光を伝送することができる。
【００３６】
次に、本発明に係る光送信器の第２実施形態について説明する。図８は、第２実施形態に係る光送信器１０Ｂの構成図である。この図に示される光送信器１０Ｂは、図１中の光送信器１０として用いられるものであって、光源１０１、光位相変調部１０２、光強度変調部１０３、プリディストーション部１０４、オフセット部１０５、パイロット信号発生部１０６、光カプラ１０７、受光部１０８、ＲＦ信号発生部１０９およびバンドパスフィルタ１１０を備える。これらの各要素は、第１実施形態におけるものと同様のものである。
【００３７】
この第２実施形態に係る光送信器１０ＢにおけるＲＦ信号発生部１０９は、互いに位相反転関係にある第１ＲＦ信号および第２ＲＦ信号を出力する。そして、光源１０１または光位相変調部１０２は、第１ＲＦ信号（ＳＢＳ抑圧信号）に基づいて光を位相変調して、光スペクトル線幅を拡大し、光強度変調部１０３は、第２ＲＦ信号（ＲＡＭ補償信号）に基づいて光を強度変調して、光位相変調部１０２で生じる残留強度変調成分を補償する。光強度変調部１０３に印加される電圧値は、プリディストーション部１０４により歪みが与えられた伝送信号に、オフセット部１０５によりオフセットが与えられ、更に第２ＲＦ信号が重畳されたものとなる。この第２実施形態に係る光送信器１０Ｂにおいては、光位相変調部１０２で生じる残留強度変調成分が、第２ＲＦ信号に基づく光強度変調部１０３における光の強度変調と相殺されて、光強度変調部１０３から出力される光に含まれる残留強度変調成分が低減され得る。
【００３８】
次に、本発明に係る光送信器の第３実施形態について説明する。図９は、第３実施形態に係る光送信器１０Ｃの構成図である。この図に示される光送信器１０Ｃは、図１中の光送信器１０として用いられるものであって、光源１０１、光位相変調部１０２、光強度変調部１０３、光強度変調部１０３ａ、プリディストーション部１０４、オフセット部１０５、パイロット信号発生部１０６、光カプラ１０７、受光部１０８、ＲＦ信号発生部１０９およびバンドパスフィルタ１１０を備える。この第３実施形態では、第２実施形態の場合と比較すると、光位相変調部１０２と光強度変調部１０３との間に別の光強度変調部１０３ａを更に備える点で相違する。
【００３９】
この第３実施形態に係る光送信器１０ＣにおけるＲＦ信号発生部１０９は、互いに位相反転関係にある第１ＲＦ信号および第２ＲＦ信号を出力する。そして、光源１０１または光位相変調部１０２は、第１ＲＦ信号（ＳＢＳ抑圧信号）に基づいて光を位相変調して、光スペクトル線幅を拡大し、光強度変調部１０３ａは、第２ＲＦ信号（ＲＡＭ補償信号）に基づいて光を強度変調して、光位相変調部１０２で生じる残留強度変調成分を補償する。この第３実施形態に係る光送信器１０Ｃにおいては、光位相変調部１０２で生じる残留強度変調成分が、第２ＲＦ信号に基づく光強度変調部１０３ａにおける光の強度変調と相殺されて、光強度変調部１０３から出力される光に含まれる残留強度変調成分が低減され得る。
【００４０】
次に、本発明に係る光送信器の第４実施形態について説明する。図１０は、第４実施形態に係る光送信器１０Ｄの構成図である。この図に示される光送信器１０Ｄは、図１中の光送信器１０として用いられるものであって、光源１０１、光位相変調部１０２、光強度変調部１０３、光強度変調部１０３ａ、プリディストーション部１０４、オフセット部１０５、パイロット信号発生部１０６、光カプラ１０７、受光部１０８、ＲＦ信号発生部１０９およびバンドパスフィルタ１１０を備える。この第４実施形態では、第３実施形態の場合と比較すると、光強度変調部１０３と光強度変調部１０３ａとの配置関係の点で相違する。
【００４１】
この第４実施形態に係る光送信器１０ＤにおけるＲＦ信号発生部１０９は、互いに位相反転関係にある第１ＲＦ信号および第２ＲＦ信号を出力する。そして、光源１０１または光位相変調部１０２は、第１ＲＦ信号（ＳＢＳ抑圧信号）に基づいて光を位相変調して、光スペクトル線幅を拡大し、光強度変調部１０３ａは、第２ＲＦ信号（ＲＡＭ補償信号）に基づいて光を強度変調して、光位相変調部１０２で生じる残留強度変調成分を補償する。この第４実施形態に係る光送信器１０Ｄにおいては、光位相変調部１０２で生じる残留強度変調成分が、第２ＲＦ信号に基づく光強度変調部１０３ａにおける光の強度変調と相殺されて、光強度変調部１０３から出力される光に含まれる残留強度変調成分が低減され得る。
【００４２】
本発明は、上記実施形態に限定されるものではなく、種々の変形が可能である。例えば、光位相変調部１０２から出力される光に含まれる歪み成分を検出するための光カプラ１０７および受光部１０８は、上記実施形態では光強度変調部１０３の後段に設けられたが、光位相変調部１０２の後段であれば任意の位置に設けられてよい。
【符号の説明】
【００４３】
１…光通信システム、１０，１０Ａ，１０Ｂ，１０Ｃ，１０Ｄ…光送信器、２０…光受信器、３０…光ファイバ伝送路、１０１…光源、１０２…光位相変調部、１０３，１０３ａ…光強度変調部、１０４…プリディストーション部、１０５…オフセット部、１０６…パイロット信号発生部、１０７…光カプラ、１０８…受光部、１０９…ＲＦ信号発生部、１１０…バンドパスフィルタ。
【図１】
2010161646.tif 000003
【図２】
2010161646.tif 000004
【図３】
2010161646.tif 000005
【図４】
2010161646.tif 000006
【図５】
2010161646.tif 000007
【図６】
2010161646.tif 000008
【図７】
2010161646.tif 000009
【図８】
2010161646.tif 000010
【図９】
2010161646.tif 000011
【図１０】
2010161646.tif 000012